(57)【要約】【課題】パソコンカラオケシステムにおいてマイクを持った歌手専用の歌詞情報を表示する。【解決手段】  カラオケ機器６は、歌詞を含むデータバンクハード６３、映像発生器６４を具え、ユーザーインターフェイスユニット６２の操作により選択された歌詞と映像を映像合成ユニット６５により合成して観客向けに映像ディスプレイ2に表示する。  歌手の歌声は、マイク５からコントロールユニットから送信される曲とミキシングアンプ３を経て合成されてスピーカー４から送出される。  本発明のシステムは、これらの構成と共にマイクに文字ディスプレイ５１を設けて、カラオケ機器の送信ユニット６６から送られる歌詞情報をレシーブユニット５２で受信して文字ディスプレイに表示する。【選択図】図２
2008268773.tif 000002
【特許請求の範囲】
【請求項１】
カラオケ機器及びマイク、レシーブユニット、文字ディスプレイから構成し、
該カラオケ機器は、レシーブユニット、ユーザーインターフェイスユニット、ハードディスク、映像発生器、映像合成ユニット及び送信ユニットによって構成され、コントロールユニットは、ハードディスクによって読み取られた曲及び歌詞情報をそれぞれ二つの送出ルートに同時に送出し、第1の送出ルートは映像合成ユニットに接続され、第2の送出ルートは送信ユニットに接続され、
また、レシーブユニット、文字ディスプレイはマイクに装着されて、
ワイヤレスで送信された歌詞情報は、該マイクに装着されたレシーブユニットによって受信され、マイク上に設置された文字ディスプレイにより表示されること、
を特徴とするマイクに第2歌詞表示装置を具有するパソコンカラオケシステム。
【請求項２】
前記送信ユニットは、コントロールユニットに固定されて接続されることを特徴とする請求項1記載のパソコンカラオケシステム。
【請求項３】
前記送信ユニットは、コントロールユニットに着脱自在に接続されることを特徴とする請求項1記載のパソコンカラオケシステム。
【請求項４】
インターフェイスとの接続を、送信ユニットとコントロールユニットの間に設けることを特徴とする請求項3記載のパソコンカラオケシステム。
【請求項５】
接続されるインターフェイスは、USBインターフェイスであることを特徴とする請求項4記載のパソコンカラオケシステム。
【請求項６】
前記文字ディスプレイ及びレシーブユニットは、マイクと一体化して構成することを特徴とする請求項1記載のパソコンカラオケシステム。
【請求項７】
前記文字ディスプレイ及びレシーブユニットは、一つのリングモジュールに統合され、該リングモジュールはマイクに嵌合するリングを具有し、文字ディスプレイ及びレシーブユニットは該リングの片側に設置することを特徴とする請求項1記載のパソコンカラオケシステム。
【請求項８】
コントロールユニット及びユーザーインターフェイスユニット、ハードディスク、映像発生器及び映像合成ユニットによって形成され、コントロールユニットはハードディスクによって読み取られた曲及び歌詞をそれぞれ二つの送出ルートに同時に送出し、第1送出ルートは映像合成ユニットに接続され、第2送出ルートは外部のディスプレイに送出して歌詞を表示することを特徴とする請求項1記載のパソコンカラオケシステム。
【発明の詳細な説明】
【技術分野】
【０００１】
本発明は、カラオケ機器の構造に関し、特にカラオケの歌詞表示に関する。
【背景技術】
【０００２】
カラオケ機器は、人々の日常生活における娯楽の一つの定番となっている。現在カラオケ機器の主流はパソコンを使ったものである。図1に示すのは、パソコンカラオケ機器を中心に組み立てたカラオケシステムであり、パソコンカラオケ機器(1)はコントロールユニット(11)をコントロールセンターとし、コントロールユニット(11)はユーザーインターフェイスユニット(12)、ハードディスク(13)、映像発生器(14)及び映像合成ユニット(15)に接続され、ユーザーインターフェイスユニット(12)にはリモコン及びインフォメーションディスプレイパネルが含まれ、ユーザーが指示を入力することでカラオケ機器の現在の状況が確認できる。
ハードディスク(13)は曲のメロディと歌詞を保存し、曲のデーターバンクを形成する。映像発生器(14)は、DVDなどの映像ディスクを再生し、再生された映像を映像合成ユニット(15)に送出することで、ユーザーがユーザーインターフェイスユニット(12)から曲を選択する際、コントロールユニット(11)がハードディスク(13)より曲のメロディと歌詞をそれぞれオーディオファイルとテキストファイルから読み取る。そして、メロディをコントロールユニット(11)から外付けのミキシングアンプ(3)に送出し、マイク(5)はミキシングアンプ(3)に接続される。ミキシングアンプ(3)は、マイク(5)に入った歌声をカラオケ機器(1)からのメロディとミキシングした後に、スピーカー(4)に送出する。映像の部分に関しては、コントロールユニット(11)が歌詞を映像合成ユニット(15)に送り、映像合成ユニット(15)がその歌詞と映像発生器(14)で再生された映像を重ねる事で処理し、映像表示機(2)(通常、テレビ)に合成された後の映像(再生された映像及び歌詞を含む)を表示する。尚、一般的な映像発生器(14)はDVDドライブなどを使用し、映像ディスクを読み取って映像を発生する。
【０００３】
上述のカラオケシステムでは、歌い手は映像表示機(2)より歌詞を読み、映像表示機(2)は歌い手及び他者が共用するものとなるため、歌い手と他者とほぼ同じ目線で映像表示器を見るしかなく、歌い手の目線の位置が大きく制限され、皆と一緒に楽しむことは難しく、他者の表情や動きなどを見ることもできず、結果、歌い手は1人で楽しむことになるなど、カラオケの娯楽効果を十分に発揮することができない。宴会会場やレストランなどの大型会場にあるカラオケシステムは、別途舞台の上に歌い手専用の第2映像ディスプレイを設置しているが、通常第2映像ディスプレイは固定された小さめのテレビであり、移動することができず、歌い手の目線と立つ位置が制限されてしまう。また、歌い手専用の第2映像ディスプレイは、舞台へ向ける目線の邪魔にならないよう、通常やや低い位置に設置されるため、歌い手は歌詞を読む際、頭を下に向けなければならず、歌い手はやはり他者と目線を合わすことができず、他者から見た歌い手はいつも頭を垂れて、目を閉じた状態にしか見えない。
【０００４】
上述の欠点を鑑み、その原因を追究するに、移動できる専用の歌詞ディスプレイ装置がない事に加え、歌い手の目線と立つ位置は映像表示器によって拘束されるため、従来の技術を改善する必要があった。
【特許文献１】特開２００６−２３５２６８号公報
【発明の開示】
【発明が解決しようとする課題】
【０００５】
本発明の第1の目的は、マイクに第2歌詞ディスプレイ装置を具有するパソコンカラオケシステムである。マイクに文字ディスプレイを設置し、同時に歌詞を表示させるに当たり、歌い手に文字ディスプレイから歌詞を読ませるには、マイクに設置された文字ディスプレイがマイクと共に移動できる事が必要であり、加えて、歌い手は歌詞を読むために視線及び立つ位置が制限されず、且つ歌い手と他者との交流が深められ、娯楽効果がアップするようマイクに第2歌詞ディスプレイ装置を装備するパソコンカラオケシステムを提供することにある。
【課題を解決するための手段】
【０００６】
前記課題を解決するため、本発明はカラオケ機器に独立した歌詞の送出機能を設置し、送出した歌詞は曲と同時に流される。ワイヤレスでの伝送を通じて、マイクに装備されたレシーブユニットで受け取り、同様にマイクに設置された文字ディスプレイで歌詞を表示するパソコンカラオケシステムを案出した。
【発明の効果】
【０００７】
本発明は、マイクにレシーブユニットと文字ディスプレイを設置することにより、歌い手は従来の技術とは違い、目線と立つ位置が制限されず、他者と共に十分に歌を楽しめて、カラオケの娯楽効果を大幅にアップさせる事ができる。
【発明を実施するための最良の形態】
【０００８】
図2に示すのは、本発明の第1実践例のサーキットボード図である。基本的に本発明のカラオケシステムは、既存の電気的構造をそのまま使用する。すなわちカラオケ機器(6)の映像と音声情報の処理は、図1に示す従来の技術と同様、カラオケ機器(6)内にコントロールユニット(61)、ユーザーインターフェイスユニット(62)、ハードディスク(63)、映像発生器(64)及び映像合成ユニット(65)で行なわれる。ハードディスク(63)はメロディ及び歌詞を保存し、曲のデーターバンクを形成する。コントロールユニット(61)はハードディスク(63)より読み取ったメロディを、外付けのミキシングアンプ(3)に送出し、マイク(5)から入力された歌い手の歌声をミキシングした後、スピーカー(4)に送出する。映像部分に関しては、コントロールユニット(61)より歌詞を映像合成ユニット(65)に送り、映像合成ユニット(65)は歌詞と映像発生器(64)より送られた再生映像を重ねる事で処理した後、それを映像ディスプレイ(2)に送り、合成後の映像を表示する。映像発生器(64)はディスクプレイヤーが最適であり、映像ディスクから読み取った映像を表示させる。
【０００９】
本発明の特徴は、カラオケ機器(6)のコントロールユニット(61)が第2歌詞の送出ルート(611、612)を具え、このうち第1歌詞の送出ルート(611)は映像合成ユニット(65)に接続されて映像発生器(64)より送られた再生映像と重ねる事で処理を行う。第2歌詞の送出ルート(612)は、送信ユニット(66)と接続され、第１歌詞の送出ルート(611)から送出される歌詞と同期して歌詞情報をワイヤレスでマイクに送信する。送信ユニット(66)の送信する歌詞は、マイク(5)内部のレシーブユニット(52)にて受信され、レシーブユニット(52)は文字ディスプレイ(51)と接続されている。文字ディスプレイの最も良い形態はバックライトを装備するドットマトリックス液晶ディスプレイである。レシーブユニット(52)が受信した歌詞は、マイク(5)の本体に固定して設置された文字ディスプレイ(51)に送られて表示される。文字ディスプレイは、マイク(5)を持つ歌い手が歌詞を見るために使われ、結果、歌い手は映像ディスプレイ(2)に表示される歌詞を見る必要がなくなる。
【００１０】
図3に示すのは、本発明のマイクの第2歌詞ディスプレイ装置使用略図である。映像ディスプレイ(2)が表示する画面は、通常のカラオケ画面であり、歌詞(7a)付きの再生映像を流し、マイク(5)にある文字ディスプレイ(51)は同時に歌詞(7b)を表示する。マイク(5)は歌い手が所持するため、文字ディスプレイ(51)は常に歌い手が読める位置にあることになる。文字ディスプレイ(51)及びレシーブユニット(52)の電源供給は、マイク(5)がワイヤレスの場合、マイク(5)自身に内蔵されているバッテリーからパワーを供給する。マイク(5)がコード付きの場合、マイク(5)の内部に別途バッテリーを充電するためのバッテリー室を設ける。
【００１１】
図2に示す実施例は、カラオケ機器(6)とマイク(5)とを固定したデザインである。すなわち送信ユニット(66)は、カラオケ機器(6)の内部に内蔵され、文字ディスプレイ(51)及びレシーブユニット(52)はマイク(5)と一体となって固定される。
図4に示すのは、第2の実践例である。第2歌詞ディスプレイ装置は、歌詞を表示するか否かをセレクトでき、コントロールユニット(61)の第2歌詞送出ルート(612)は連結インターフェイス(67)に接続される(USBインターフェイスが最も適している)。送信ユニット(66')は対応するインターフェイス連結器の独立したモジュールを装備し、これはブルートゥーストランシーバーに似た形態であるが、連結インターフェイス(67)に差し込むか否かをセレクトできる。文字ディスプレイ(51')及びレシーブユニット(52')は図5に示すようにリング状のモジュールで構成する。このリング状のモジュール（53）を、マイク(5)の円柱本体にはめ込み、リング(53)の片側に直立するような形で文字ディスプレイ(51')が設置される。尚、レシーブユニット(52')及びバッテリー(未掲示)は全て文字ディスプレイ(51')内に内蔵される。
【００１２】
以上の実施例による本発明の詳細な説明は本発明の範囲を制限するものではない。本発明の構想に基づく各種の変化や修正、応用及び形の変更等により、同じ効果が生ずるような場合は、全て本発明の権利範囲内に含まれることとする。
【図面の簡単な説明】
【００１３】
【図１】従来の技術におけるカラオケシステムのサーキットボード図。
【図２】本発明におけるカラオケシステムの第1実施例のサーキットボード図。
【図３】本発明における第2歌詞ディスプレイ装置の使用略図。
【図４】本発明におけるのカラオケシステムの第2実施例のサーキットボード図。
【図５】図4に示す第2実施例のマイク及び第2歌詞ディスプレイ装置仕組み略図。
【符号の説明】
【００１４】
〔従来技術の部分〕
1…カラオケ機器
11…コントロールユニット
12…ユーザーインターフェイスユニット
13…ハードディスク
14…映像発生器
15…映像合成ユニット
2…映像ディスプレイ
3…ミキシングアンプ
4…スピーカー
5…マイク
〔本発明の部分〕
6…カラオケ機器
61…コントロールユニット
62…ユーザーインターフェイスユニット
63…ハードディスク
64…映像発生器
65…映像合成ユニット
66，66'…送信ユニット
67…連結インターフェイス
51，51'…文字ディスプレイ
52，52'…レシーブユニット
53…リング
【図１】
2008268773.tif 000003
【図２】
2008268773.tif 000004
【図３】
2008268773.tif 000005
【図４】
2008268773.tif 000006
【図５】
2008268773.tif 000007